(57)【特許請求の範囲】
【請求項１】
内方に貯蔵庫を有する筐体に形成された開口を開閉するためのショーケース用扉であって、
板状ガラスと、
前記板状ガラスの周縁部に配された枠体と、
前記枠体に対して締結部材を介して取り付けられた取手と、を備え、
前記枠体は、
前記板状ガラスの端面に沿って延在して、前記板状ガラスを保持するガラス保持壁部と、
前記ガラス保持壁部の庫外側の端部から前記板状ガラスとは反対側に向けて立ち上がるとともに、当該ショーケース用扉が閉止された状態にあるときに庫外に臨む外側壁部と、
前記外側壁部から庫内側に向けて立ち上がるとともに、前記ガラス保持壁部に対して空隙を有して対向する対向壁部と、
前記対向壁部と前記ガラス保持壁部の間を閉塞する形で、前記外側壁部の庫内側に配された内側壁部と、を備え、
前記外側壁部には、前記締結部材の軸部が挿通される挿通孔が貫通形成され、
前記内側壁部には、前記締結部材の頭部を挿入可能とされ、庫内側から前記外側壁部と前記取手を締結するための締結孔が貫通形成され、
前記締結部材の前記軸部が前記挿通孔に挿通されて前記取手に係止された状態で、前記締結部材の前記頭部と前記外側壁部との間には介在部材が配設され、
前記介在部材は、前記外側壁部の庫内側の面に当接するとともに、前記内側壁部の前記締結孔に挿通されて、前記締結孔の孔縁における庫内側の面に係合していることを特徴とするショーケース用扉。
【請求項２】
前記介在部材は、
前記外側壁部に当接するとともに、前記挿通孔と連通する連通孔を有する当接部と、
前記当接部の周端部において前記連通孔の両側に位置する両端部から庫内側に向けてそれぞれ立ち上がるとともに、前記締結孔に挿通される一対の立ち上がり部と、
前記一対の立ち上がり部の立ち上がり先端部から前記締結孔の径方向外側に向けて屈曲する形をなし、前記内側壁部に係合される一対の係合部と、を備えることを特徴とする請求項１に記載のショーケース用扉。
【請求項３】
前記枠体は、前記ガラス保持壁部と、前記外側壁部と、前記対向壁部と、前記内側壁部とが、前記板状ガラスの周縁に沿って延設された筒状の中空部を構成し、
前記介在部材は、前記一対の立ち上がり部が前記中空部の筒軸方向における両側を閉塞するようにして前記締結孔に嵌合していることを特徴とする請求項２に記載のショーケース用扉。
【発明の詳細な説明】
【技術分野】
【０００１】
本発明は、ショーケース用扉に関する。
【背景技術】
【０００２】
従来、食品や飲料品等を、温蔵、冷蔵もしくは冷凍保管しつつ展示するショーケースが広く設置されており、このようなショーケース用の扉として、板状ガラスの周縁を枠体で保持したものが一般的に使用されている（下記特許文献１）。そして、特許文献１には、枠体の庫外側に取手のような構造物が設けられる構成が記載されている。
【先行技術文献】
【特許文献】
【０００３】
【特許文献１】特開２００５−３２３８３０号公報
【発明の概要】
【発明が解決しようとする課題】
【０００４】
上記構成のようなショーケース用扉は、板状ガラスを備える構造上、一般的にその重量が重く、枠体において取手が固定される箇所には、取手を操作する際に比較的大きな力が掛かる構成となっている。そして、そのような力に起因した枠体の変形は、取手が枠体から外れる要因となるとともに、枠体ひいてはショーケース用扉の意匠性を損なう要因となっていた。
【０００５】
本発明は上記のような事情に基づいて完成されたものであって、枠体に対して取手をより確実に固定することができるとともに、ショーケース用扉の意匠性が損われる事態の発生を抑制可能なショーケース用扉を提供することを目的とする。
【課題を解決するための手段】
【０００６】
上記課題を解決するために、本発明のショーケース用扉は、内方に貯蔵庫を有する筐体に形成された開口を開閉するためのショーケース用扉であって、板状ガラスと、前記板状ガラスの周縁部に配された枠体と、前記枠体に対して締結部材を介して取り付けられた取手と、を備え、前記枠体は、前記板状ガラスの端面に沿って延在して、前記板状ガラスを保持するガラス保持壁部と、前記ガラス保持壁部の庫外側の端部から前記板状ガラスとは反対側に向けて立ち上がるとともに、当該ショーケース用扉が閉止された状態にあるときに庫外に臨む外側壁部と、前記外側壁部から庫内側に向けて立ち上がるとともに、前記ガラス保持壁部に対して空隙を有して対向する対向壁部と、前記対向壁部と前記ガラス保持壁部の間を閉塞する形で、前記外側壁部の庫内側に配された内側壁部と、を備え、前記外側壁部には、前記締結部材の軸部が挿通される挿通孔が貫通形成され、前記内側壁部には、前記締結部材の頭部を挿入可能とされ、庫内側から前記外側壁部と前記取手を締結するための締結孔が貫通形成され、前記締結部材の前記軸部が前記挿通孔に挿通されて前記取手に係止された状態で、前記締結部材の前記頭部と前記外側壁部との間には介在部材が配設され、前記介在部材は、前記外側壁部の庫内側の面に当接するとともに、前記内側壁部の前記締結孔に挿通されて、前記締結孔の孔縁における庫内側の面に係合していることに特徴を有する。
【０００７】
本発明によれば、締結部材の頭部と外側壁部との間に介在する介在部材が、外側壁部の庫内側の面に当接するとともに、内側壁部の庫内側の面に係合しているから、取手から締結部材を介して枠体に作用する力を、外側壁部と内側壁部とに分散して受けることができ、外側壁部又は内側壁部のみでそのような力を受ける場合に比べて、枠体の変形を抑制することができる。この結果、枠体に対して取手をより確実に固定することができるとともに、ショーケース用扉の意匠性が損なわれる事態の発生を抑制することができる。
具体的には、締結部材が内側壁部にのみ係止される構成では、内側壁部の変形に起因して、締結部材による締結が緩む虞がある。さらに、締結部材が緩んだ状態で、取手に外側壁部の壁面方向への力が作用すると、取手にがたつきが生じる虞がある。このような取手のがたつきは、外側壁部の意匠面を傷つける要因ともなる。一方、本発明によれば、内側壁部に係る力を、締結部材が内側壁部のみに係止される構成より低減することができ、内側壁部の変形を抑制することで、締結部材が緩むことを抑制できる。この結果、取手のがたつきも抑制することができる。また、締結部材が外側壁部にのみ係止される構成では、外側壁部の変形は、枠体の意匠面の変形に直結する。さらに、このような構成では、締結部材が外側壁部にのみ係合しているから、仮に締結部材による締結が緩んだ場合に、取手に対して外側壁部の壁面方向への力が作用すると、他の部位によって取手の移動を規制することができず、取手にがたつきが生じる虞がある。一方、本発明によれば、外側壁部に係る力を、締結部材が外側壁部のみに係止される構成より低減することができ、外側壁部の変形を抑制できる。さらに、本発明によれば、仮に締結部材による締結が緩んだ場合であっても、介在部材を介して内側壁部により締結部材の移動が規制されることにより、締結部材が外側壁部のみに係止される構成に比べて、取手のがたつきを抑制することができる。
【０００８】
上記構成において、前記介在部材は、前記外側壁部に当接するとともに、前記挿通孔と連通する連通孔を有する当接部と、前記当接部の周端部において前記連通孔の両側に位置する両端部から庫内側に向けてそれぞれ立ち上がるとともに、前記締結孔に挿通される一対の立ち上がり部と、前記一対の立ち上がり部の立ち上がり先端部から前記締結孔の径方向外側に向けて屈曲する形をなし、前記内側壁部に係合される一対の係合部と、を備えていてもよい。
【０００９】
このような構成によれば、介在部材を締結孔に嵌合するようにして一対の係合部を締結孔の両側に係止することができ、介在部材を枠体に対して、好適に係合させることができる。また、一対の立ち上がり部を締結部材を挿入するためのガイドとして機能させることができ、取手を取り付ける際の作業性に優れる。
【００１０】
上記構成において、前記枠体は、前記ガラス保持壁部と、前記外側壁部と、前記対向壁部と、前記内側壁部とが、前記板状ガラスの周縁に沿って延設された筒状の中空部を構成し、前記介在部材は、前記一対の立ち上がり部が前記中空部の筒軸方向における両側を閉塞するようにして前記締結孔に嵌合していてもよい。
【００１１】
このような構成によれば、締結部材を締結する際に、一対の立ち上がり部を締結部材が中空部の筒軸方向に倒れ込むことを規制する規制部として機能させることができ、締結部材が中空部内に倒れ込んで、その内部から取れなくなる事態を抑制することができる。
【発明の効果】
【００１２】
本発明によれば、枠体に対して取手をより確実に固定することができるとともに、ショーケース用扉の意匠性が損われる事態の発生を抑制可能なショーケース用扉を提供することができる。
【図面の簡単な説明】
【００１３】
【図１】本発明の実施形態１に係るショーケース用扉を備えるショーケースを示す正面図
【図２】ショーケースの縦断面図
【図３】ショーケース用扉を示す分解斜視図
【図４】取手の締結構造を示す分解斜視図
【図５】縦枠を一部切り欠いて示す縦断面図（図１のＶ−Ｖ線で切断した図に対応）
【図６】縦枠を示す横断面図（図１のＶＩ−ＶＩ線で切断した図に対応）
【図７】本発明の実施形態２に係る取手の側面図
【図８】取手の締結構造を示す分解斜視図
【図９】縦枠を示す横断面図
【発明を実施するための形態】
【００１４】
＜実施形態１＞
本発明の実施形態１を図１から図６によって説明する。本実施形態では、ショーケース用扉として、縦型のショーケース１０を構成する扉を例示する。なお、以下の説明では、図１における手前側を庫外側もしくは表側、奥側を庫内側もしくは背面側、左側を左側、右側を右側とする。図１及び図２に示すように、ショーケース１０は、例えば冷蔵用として用いられ、縦長の断熱箱体から構成される貯蔵庫本体１１（筐体）と、貯蔵庫本体１１の下方に配設される機械室１２とを備える。貯蔵庫本体１１は、図２に示すように、前方に開口する矩形状の開口部１１Ａを有しており、その開口部１１Ａは、貯蔵庫本体１１内部に設けられた貯蔵室１１Ｂと連通されている。
【００１５】
貯蔵室１１Ｂの内部には、食品や飲料品を冷蔵陳列するための複数の棚板１３が上下に離間して並ぶように配設されている。貯蔵庫本体１１には、開口部１１Ａを塞ぐ形で一対のショーケース用扉２０Ａ，２０Ｂが取り付けられている。本実施形態では、一対のショーケース用扉２０Ａ，２０Ｂが、それぞれヒンジ（図示せず）を介して貯蔵庫本体１１に取り付けられており、観音開き形式にスイング開閉するように装着されている。これにより、一対のショーケース用扉２０Ａ，２０Ｂを回動させることで、貯蔵室１１Ｂを開閉することができる。
【００１６】
機械室１２には、圧縮機、凝縮器、凝縮器ファン等を備える冷凍装置（図示せず）が収容されている。また、機械室１２を構成する前面パネル１４には、外気を機械室１２内に取り込むための吸気口１４Ａが設けられている。また、機械室１２を構成する背面パネル（図示せず）には上記冷凍装置を冷却した後の排熱を排出するための排気口が設けられている。
【００１７】
また、図２に示すように、貯蔵庫本体１１の天井壁部１１Ｄの下面には、ドレンパンを兼ねたエアダクト１５が設けられている。これにより、エアダクト１５と天井壁部１１Ｄによって囲まれた空間が冷却器室１１Ｅとして構成されている。この冷却器室１１Ｅには、冷却器１６が収容されている。また、冷却器室１１Ｅにおける前側には吸込口１１Ｆが設けられ、後側には吹出口１１Ｇが設けられている。これにより、吸込口１１Ｆ及び吹出口１１Ｇを介して冷却器室１１Ｅと貯蔵室１１Ｂとが連通されている。また、吸込口１１Ｆには、冷気循環ファン１７が配されている。冷却器１６は、機械室１２内の冷凍装置と冷媒配管によって循環接続されており、周知の冷凍回路を構成するものとされる。
【００１８】
ショーケース１０の冷却運転は、上記冷凍装置および冷気循環ファン１７が駆動されることで行われる。冷気循環ファン１７が駆動され、貯蔵室１１Ｂ内の空気が、吸込口１１Ｆから吸い込まれて冷却器室１１Ｅ内に導かれると、その空気が冷却器１６を流通する間に熱交換され、冷気が生成される。生成された冷気が吹出口１１Ｇ等から貯蔵室１１Ｂ内に吹出されることで、貯蔵室１１Ｂ内が冷却される。
【００１９】
また、冷却器１６による冷気の生成と同時に機械室１２の凝縮器ファンも駆動される。凝縮器ファンの駆動によって、前面パネル１４に設けられた吸気口１４Ａから外気が吸い込まれて機械室１２内に導かれると、その外気は、凝縮器や圧縮機の間を流れることでこれらを冷却する。なお、凝縮器や圧縮機を冷却した結果、温められた空気は、図示しない背面パネルに設けられた排気口から排気され、排熱が行われる構成となっている。
【００２０】
次に、ショーケース用扉の構成について説明する。一対のショーケース用扉２０Ａ，２０Ｂは、図１に示すように左右対称な形状をなしているものの、それ以外は同じ構成とされる。このため、以下の説明では、図１の右側に配されるショーケース用扉２０Ａの構成について説明する。ショーケース用扉２０Ａは、図３に示すように、矩形板状の板状ガラス２１と、板状ガラス２１の周縁部を全周に亘って挟持する枠体３０と、枠体３０に対してネジ（締結部材）２６を介して取り付けられた取手７０と、枠体３０における裏側（貯蔵庫本体１１側）に取り付けられたドアガスケット２３と、を備えている。これにより、板状ガラス２１を通して貯蔵室１１Ｂ内を前方から視認可能とされている。  
【００２１】
枠体３０は、板状ガラス２１の左右の側端部をそれぞれ挟持する一対の縦枠３１Ａ，３１Ａと、板状ガラス２１の上端部及び下端部をそれぞれ挟持する一対の横枠３１Ｂ，３１Ｂと、を備えている。縦枠３１Ａ及び横枠３１Ｂは、それぞれ長手状をなしており、隣り合う縦枠３１Ａ及び横枠３１Ｂは、Ｌ字状をなすコーナージョイント３５によって、直角をなすように連結されている。これにより、一対の縦枠３１Ａ，３１Ａ及び一対の横枠３１Ｂ，３１Ｂが４つのコーナージョイント３５によって矩形枠状をなす形で連結されている。
【００２２】
また、図３の右側の縦枠３１Ａに取り付けられたコーナージョイント３５には孔部３５Ａが形成されている。孔部３５Ａには、ヒンジカラー（図示しない）を介して貯蔵庫本体１１に設けられたヒンジ（図示しない）が取り付けられる。これにより、ショーケース用扉２０Ａが貯蔵庫本体１１に対して回動可能に取り付けられる構成となっている。ドアガスケット２３は、枠体３０の形状に倣う矩形枠状をなしており、ショーケース用扉２０Ａを閉じた状態では、貯蔵庫本体１１における開口部１１Ａの開口端部に密着し、枠体３０と貯蔵庫本体１１の間の隙間を塞ぐ構成となっている。
【００２３】
本実施形態の縦枠３１Ａ及び横枠３１Ｂは、材質の異なる２つの枠材（樹脂枠材及び金属枠材）を組み合わせることで構成されている。この構成について、縦枠３１Ａを例示して説明する。なお、縦枠３１Ａ及び横枠３１Ｂは、長さが異なる点以外は基本的には同じ構成である。図５及び図６は、ショーケース用扉２０Ａを構成する一対の縦枠３１Ａ，３１Ａのうち、左側に配される縦枠３１Ａを示す断面図である。なお、図５における右側及び図６における下側が前側（庫外側）であり、図５における左側及び図６における上側がが後側（庫内側）である。また、図６における右側が枠体３０の内周側（板状ガラス２１側）であり、左側が外周側である。
【００２４】
図６に示すように、縦枠３１Ａは、枠体３０の内周部分（板状ガラス２１に対して相対的に近い側）を構成する樹脂枠材４０と、枠体３０の外周部分（板状ガラス２１に対して相対的に遠い側）を構成すると共に樹脂枠材４０に対して取り付けられる金属枠材５０と、を備えている。また、金属枠材５０は、縦枠３１Ａにおける前側（庫外側）の面を主に構成するものとされ、樹脂枠材４０は、縦枠３１Ａにおける後側（庫内側）の面を主に構成するものとされる。樹脂枠材４０及び金属枠材５０の各々は、図６の紙面貫通方向に長い長手状をなし、ほぼ全長に亘って図６の断面形状をなしている。樹脂枠材４０は、例えばポリプロピレン等の合成樹脂製とされるが、これ以外の合成樹脂によって構成されていてもよい。また、金属枠材５０は、例えばアルミ等の金属製とされるが、これ以外の金属材料によって構成されていてもよい。
【００２５】
金属枠材５０は、図６に示すように、板状ガラス２１の端面２１Ａに沿って延在して、板状ガラス２１を保持するガラス保持壁部５１と、ガラス保持壁部５１の庫外側の端部５１Ａから板状ガラス２１とは反対側に向けて立ち上がるとともに、当該ショーケース用扉２０Ａが閉止された状態にあるときに庫外に臨む外側壁部５２と、外側壁部５２から庫内側に向けて立ち上がるとともに、ガラス保持壁部５１に対して空隙を有して対向する対向壁部５４と、対向壁部５４とガラス保持壁部５１の間を閉塞する形で、外側壁部５２の庫内側に配された内側壁部５５と、を備えている。そして、金属枠材５０は、ガラス保持壁部５１と、外側壁部５２と、対向壁部５４と、内側壁部５５とが、板状ガラス２１の周縁に沿って延設された筒状の金属枠材側中空部（中空部）５７を構成している。また、金属枠材５０には、ガラス保持壁部５１の両端部５１Ａ，５１Ｂに、樹脂枠材４０と係合するとともに、樹脂枠材４０とともに板状ガラス２１の周縁部を挟持する一対の金属枠材側挟持壁部５８Ａ，５８Ｂが設けられている。一対の金属枠材側挟持壁部５８Ａ，５８Ｂのうち、板状ガラス２１の庫外側に位置する方を金属枠材側挟持壁部５８Ａと呼び、板状ガラス２１の庫外側に位置する方を金属枠材側挟持壁部５８Ｂと呼ぶ。
【００２６】
ガラス保持壁部５１は、板状ガラス２１の周囲に沿って配されることで、枠体３０内において板状ガラス２１を保持可能な構成とされている（図３参照）。そして、ガラス保持壁部５１は、図６に示すように、一対の金属枠材側挟持壁部５８Ａ，５８Ｂと共に、枠体３０の枠内向けて開口する断面視コの字状（Ｕ字状）の壁部を構成し、その内側に、板状ガラス２１の周縁部を収容する構成とされている。各壁部５１，５８Ａ，５８Ｂと板状ガラス２１との間には、壁部５１，５８Ａ，５８Ｂにそれぞれ倣う形で、樹脂枠材４０に設けられた樹脂枠材側ガラス保持壁部４１及び一対の樹脂枠材側挟持壁部４８Ａ，４８Ｂが介在している。つまり、枠体３０は、金属枠材５０より弾力性に富んだ樹脂枠材４０の外側を取り囲む形で高剛性の金属枠材５０を配することにより、板状ガラス２１の周端部を確実に保持することが可能となっている。なお、樹脂枠材側挟持壁部４８Ｂには、金属枠材側挟持壁部５８Ｂとガラス保持壁部５１とで形成される角部に庫内側かつ枠体３０の外周側から係止される、断面視Ｌ字状の係止壁部４３が形成されている。このような構成により、樹脂枠材４０と金属枠材５０との接合強度が、より一層十分なものとされている。
【００２７】
外側壁部５２は、図４及び図６に示すように、金属枠材側挟持壁部５８Ａと共に、板状ガラス２１の表面５２Ａに沿って延在する平板状をなし、その表面５２Ａが枠体３０の意匠面を構成している。この表面５２Ａは、取手７０が取り付けられる被取付面となる。外側壁部５２には、取手７０を取り付けるためのネジ２６の軸部２６Ｂを挿通する挿通孔５３が貫通形成されている。挿通孔５３の径は、ネジ２６の頭部２６Ａの径より小さく、軸部２６Ｂをクリアランスを有して挿通可能な大きさに設定されている。なお、挿通孔５３は、取手７０の後述する一対の固定部７２，７２の位置にそれぞれ対応して、縦枠３１Ａに一対設けられている。
【００２８】
対向壁部５４は、図６に示すように、外側壁部５２のガラス保持壁部５１とは反対側の端部から延設されて、枠体３０の外周端面を構成している。この対向壁部５４と外側壁部５２は、他の壁部５１，５５より厚さ寸法が大きく、相対的に剛性が高い壁部である。対向壁部５４は、その内側の面に、コードヒータ（不図示）を係止する係止片部５４Ａが形成されている。また、対向壁部５４には、庫内側の端部が枠体３０の内周側に向けて屈曲する形で、後述するドアガスケット２３の挿入部２３Ｂが係止されるガスケット用被係止部５４Ｂが形成されている。
【００２９】
内側壁部５５は、図６に示すように、枠体３０の内部を相対的に庫外側に位置する金属枠材側中空部５７と、相対的に庫内側に位置する主中空部３３とに区画して、枠体３０における断熱性能を向上する役目を果たす。さらに、内側壁部５５は、ガラス保持壁部５１を対向壁部５４側から支持して、枠体３０で板状ガラス２１を確実に保持可能とする役目を果たす。内側壁部５５は、外側壁部５２と並行して延びる平板状をなし、挿通孔５３と対応する位置に、締結孔５６が貫通形成されている。締結孔５６は、平面視矩形状をなし、ネジ２６の頭部２６Ａを挿入可能とされ、庫内側から外側壁部５２と取手７０を締結するためのものである。
【００３０】
樹脂枠材４０には、樹脂枠材側挟持壁部４８Ｂの庫内側に、中空状をなす樹脂枠材側中空部４５が形成されている。そして、樹脂枠材側中空部４５には、金属枠材５０のガスケット用被係止部５４Ｂと対向する位置に、ドアガスケット２３の挿入部２３Ｂが係止されるガスケット用被係止部４５Ｂが形成されている。
【００３１】
ドアガスケット２３は、例えば、軟質樹脂（ウレタンフォーム等）を押出成形することで構成されている。ドアガスケット２３は、図６に示すように、貯蔵庫本体１１と枠体３０の間に介在されるガスケット本体部２３Ａと、ガスケット本体部２３Ａから前方に突出する挿入部２３Ｂと、を備えている。挿入部２３Ｂは、断面視矢印形状をなし、後方からガスケット用被係止部４５Ｂ，５４Ｂの間に挿入されている。挿入部２３Ｂにおける左右方向の一端部がガスケット用被係止部４５Ｂに対して前方から係止されるとともに、他端部がガスケット用被係止部５４Ｂに対して前方から係止されている。これにより、ドアガスケット２３が縦枠３１Ａに対して抜け止めされている。
【００３２】
枠体３０（金属枠材５０及び樹脂枠材４０の双方）にドアガスケット２３が取り付けられた状態では、図６に示すように、金属枠材側中空部５７の庫内側、かつ、樹脂枠材側中空部４５の枠体３０における外周側に主中空部３３が画成される。詳細には、主中空部３３は、金属枠材５０の対向壁部５４、内側壁部５５、ガラス保持壁部５１、ガスケット用被係止部５４Ｂ、及び、樹脂枠材４０の樹脂枠材側中空部４５の金属枠材５０側の壁部、ガスケット用被係止部４５Ｂ、並びにドアガスケット２３によって構成されている。このような構成により、枠体３０は、金属枠材側中空部５７と樹脂枠材側中空部４５と主中空部３３の３つの中空部を有しており、これらの中空部によってその断熱性能及び剛性が十分に確保されている。
【００３３】
取手７０は、図３及び図５に示すように、棒状の把持部７１と、把持部７１の長手方向における両端部から屈曲する形で延設され、縦枠３１Ａに固定される一対の固定部７２，７２と、を備える。一対の固定部７２，７２の各々は、その延設先端面７２Ａ（把持部７１とは反対側の面）が外側壁部５２の表面５２Ａに沿って延在する平坦状をなしており、延設先端面７２Ａと外側壁部５２の表面５２Ａが接合面となって縦枠３１Ａに固定される。この延設先端面７２Ａには、ネジ２６の軸部２６Ｂが螺合するネジ孔７３が形成されている。取手７０は、把持部７１を縦枠３１Ａの長手方向に沿わせた姿勢で、挿通孔５３とネジ孔７３の位置を整合させて、外側壁部５２の庫外側に配される。
【００３４】
続いて、取手７０を縦枠３１Ａに対して取り付けるための各部の構成及び取手７０の取付態様について説明する。
取手７０が縦枠３１Ａに取り付けられた状態では、図５及び図６に示すように、ネジ２６の頭部２６Ａと外側壁部５２との間に介在部材６０が配設されている。
【００３５】
介在部材６０は、図５に示すように、外側壁部５２の庫内側の面５２Ｂに当接するとともに、内側壁部５５の締結孔５６に挿通されて、締結孔５６の孔縁における庫内側の面５５Ｂに係合している。介在部材６０は、外側壁部５２に当接するとともに、挿通孔５３と連通する連通孔６２を有する当接部６１と、当接部６１の周端部において連通孔６２の両側に位置する両端部６１Ａ，６１Ｂから庫内側に向けてそれぞれ立ち上がるとともに、締結孔５６に挿通される一対の立ち上がり部６３，６３と、一対の立ち上がり部６３，６３の立ち上がり先端部から締結孔５６の径方向外側に向けて屈曲する形をなし、内側壁部５５に係合される一対の係合部６４，６４と、を備える。
【００３６】
また、介在部材６０は、図５に示すように、長手状プレートにおいて、長手方向における中央部に断面視コの字（Ｕ字状）に凹む形で当接部６１及び一対の立ち上がり部６３，６３からなる凹部を形成するとともに、その両端部に凹部からフランジ状に延びる一対の係合部６４，６４を形成してなる。このような介在部材６０は、例えば、長方形状の金属プレートを曲げ加工することで、高剛性かつ容易に形成することができる。介在部材６０の幅寸法は、金属枠材５０と樹脂枠材４０を組み付けた状態で、ガスケット用被係止部４５Ｂ，５４Ｂの間を挿通可能とされるとともに、主中空部３３内を挿通可能な大きさとされている。
【００３７】
当接部６１は、図５及び図６に示すように、外側壁部５２の庫内側の面５２Ｂに倣う平板状をなし、ネジ２６の頭部２６Ａを載置可能な平面視矩形状の座面を有する。そして、この座面とは反対側（庫外側）の板面が外側壁部５２に当接する当接面とされている。当接部６１には、その中央部に連通孔６２が貫通形成されている。連通孔６２は、外側壁部５２の挿通孔５３より径が小さく、わずかなクリアランスを有してネジ２６の軸部２６Ｂを挿通可能な構成とされている。
【００３８】
一対の立ち上がり部６３，６３の各々は、図５に示すように、当接部６１から略直角に屈曲する形をなし、その立ち上がり寸法が、外側壁部５２と内側壁部５５との間の寸法と同等とされている。さらに、一対の立ち上がり部６３，６３の各々は、その幅寸法が、金属枠材側中空部５７内において、ネジ２６を塞き止め可能に閉塞する大きさとされている。具体的には、一対の立ち上がり部６３，６３の各々は、その幅方向において、対向壁部５４との間に形成される隙間と、ガラス保持壁部５１との間に形成される隙間の双方がネジ２６の外形より小さい構成となっている。一対の立ち上がり部６３，６３は、締結孔５６の上下方向における寸法と略同じ寸法だけ互いに離間して設けられており、締結孔５６に対してわずかなクリアランスを有して嵌る構成とされている。
【００３９】
一対の係合部６４，６４の各々は、図５に示すように、一対の立ち上がり部６３，６３の各々から略直角に屈曲して、内側壁部５５の庫内側の面５５Ｂに倣う平板状をなす。そして、一対の係合部６４，６４の各々は、庫外側の板面が内側壁部５５の締結孔５６の孔縁に係止される係止面とされている。一対の係合部６４，６４における係止面の面積の合算は、当接部６１の当接面の面積と同等か、それよりやや大きい程度とされている。このような構成により、ネジ２６から介在部材６０に作用する力を外側壁部５２と内側壁部５５の双方にバランス良く分散することが可能となっている。
【００４０】
続いて、取手７０を縦枠３１Ａに取り付ける態様について図４を用いて説明する。まず、作業者は、介在部材６０を一対の係合部６４，６４が上下に位置する姿勢として、縦枠３１Ａの庫内側から、ガスケット用被係止部４５Ｂ，５４Ｂの間、及び主中空部３３を順次に通過させて、締結孔５６に挿入する。介在部材６０が締結孔５６に挿入されて、これに嵌合した状態では、当接部６１の当接面が外側壁部５２の庫内側の面５２Ｂに当接するとともに、一対の係合部６４，６４が締結孔５６の孔縁において内側壁部５５の庫内側の面５５Ｂに当接する。この状態では、一対の立ち上がり部６３，６３が締結孔５６の内周面によって位置決めされることで、当接部６１の連通孔６２と外側壁部５２の挿通孔５３の位置が整合している。また、この状態では、介在部材６０は、一対の立ち上がり部６３，６３が金属枠材側中空部５７の筒軸方向（縦枠３１Ａの長手方向）における両側を閉塞するようにして締結孔５６に嵌合している。
【００４１】
次に、作業者は、ネジ２６を縦枠３１Ａの庫内側から締結孔５６に挿入して、その軸部２６Ｂを介在部材６０の連通孔６２と、外側壁部５２の挿通孔５３に順次に挿通する。この際、一対の立ち上がり部６３，６３を、ネジ２６を挿入する際のガイドとして用いて、これらに沿って挿入していく。
【００４２】
そして、作業者は、ネジ２６を締結するための工具を用いて、ネジ２６の頭部２６Ａが当接部６１の座面に至るまで、ネジ２６の軸部２６Ｂをネジ孔７３内において螺進させる。すると、縦枠３１Ａの外側壁部５２と介在部材６０がネジ２６で共締めされた状態となり、当接部６１が外側壁部５２を庫外側に向けて押さえつけるとともに、一対の係合部６４，６４の各々が締結孔５６の孔縁において内側壁部５５を庫外側に向けて押さえつけるようにして作用する。つまり、取手７０が、介在部材６０を介して縦枠３１Ａの外側壁部５２及び内側壁部５５の双方に係合して、縦枠３１Ａに固定された状態となる。以上により、縦枠３１Ａに対する取手７０の取り付けが完了する。なお、取手７０の取り付け後に、ドアガスケット２３を縦枠３１Ａに取り付けることで、枠体３０の外部からネジ２６が視認されないように隠すことが可能となっている。
【００４３】
続いて、本実施形態の効果について説明する。
本実施形態によれば、ネジ２６の頭部２６Ａと外側壁部５２との間に介在する介在部材６０が、外側壁部５２の庫内側の面５２Ｂに当接するとともに、内側壁部５５の庫内側の面５５Ｂに係合しているから、取手７０からネジ２６を介して枠体３０に作用する力を、外側壁部５２と内側壁部５５とに分散して受けることができ、外側壁部５２又は内側壁部５５のみでそのような力を受ける場合に比べて、枠体３０の変形を抑制することができる。この結果、枠体３０に対して取手７０をより確実に固定することができるとともに、ショーケース用扉２０Ａの意匠性が損なわれる事態の発生を抑制することができる。
【００４４】
具体的には、ネジ２６が内側壁部５５にのみ係止される構成では、内側壁部５５の変形に起因して、ネジ２６による締結が緩む虞がある。さらに、ネジ２６が緩んだ状態で、取手７０に外側壁部５２の壁面方向への力が作用すると、取手７０にがたつきが生じる虞がある。このような取手７０のがたつきは、外側壁部５２の表面５２Ａを傷つける要因ともなる。一方、本実施形態によれば、内側壁部５５に係る力を、ネジ２６が内側壁部５５のみに係止される構成より低減することができ、内側壁部５５の変形を抑制することで、ネジ２６が緩むことを抑制できる。この結果、取手のがたつきも抑制することができる。また、ネジ２６が外側壁部５２にのみ係止される構成では、外側壁部５２の変形は、枠体３０の表面５２Ａの変形に直結する。さらに、このような構成では、ネジ２６が外側壁部５２にのみ係合しているから、仮にネジ２６による締結が緩んだ場合に、取手７０に対して外側壁部５２の壁面方向への力が作用すると、他の部位によって取手７０の移動を規制することができず、取手７０にがたつきが生じる虞がある。一方、本実施形態によれば、外側壁部５２に係る力を、ネジ２６が外側壁部５２のみに係止される構成より低減することができ、外側壁部５２の変形を抑制できる。さらに、本実施形態によれば、仮にネジ２６による締結が緩んだ場合であっても、介在部材６０を介して内側壁部５５によりネジ２６の移動が規制されることにより、ネジ２６が外側壁部５２のみに係止される構成に比べて、取手７０のがたつきを抑制することができる。特に、本実施形態では、介在部材６０に設けられた連通孔６２の孔径が、挿通孔５３の孔径より小さく、また、介在部材６０が締結孔５６に嵌合しているから、介在部材６０により取手７０のがたつきを抑制する効果が高い。
【００４５】
また、本実施形態では、介在部材６０は、当接部６１と、一対の立ち上がり部６３，６３と、一対の係合部６４，６４と、を備えている。このため、介在部材６０を締結孔５６に嵌合するようにして一対の係合部６４を締結孔５６の両側に係止することができ、介在部材６０を枠体３０に対して、好適に係合させることができる。また、一対の立ち上がり部６３，６３をネジ２６を挿入するためのガイドとして機能させることができ、取手７０を取り付ける際の作業性に優れる。
【００４６】
また、本実施形態では、一対の立ち上がり部６３，６３が金属枠材側中空部５７の筒軸方向（縦枠３１Ａの長手方向）における両側を閉塞するから、ネジ２６を締結する際に、一対の立ち上がり部６３，６３をネジ２６が金属枠材側中空部５７の筒軸方向に倒れ込むことを規制する規制部として機能させることができる。このため、ネジ２６が金属枠材側中空部５７内に倒れ込んで、その内部から取れなくなる事態を抑制することができる。
【００４７】
ところで、ネジ２６が内側壁部５５の奥方において、外側壁部５２に係止される構成では、ネジが内側壁部に係止される構成に比べて、ネジ２６を枠体３０の奥方で締結することになり、その作業性が悪くなることが懸念される。一方、本実施形態では、ネジ２６が内側壁部５５の奥方に係止される構成であっても、介在部材６０を備えることで、取手７０を取り付ける際の作業性が損なわれる事態を抑制可能となっている。
【００４８】
＜関連技術＞
以下、枠体に対して取手を固定するための関連技術を図７から図９によって示す。なお、上記実施形態と同一機能を有する部位、部材については、同一符号を付すことで説明を省略または簡略化し、それぞれ主に特徴的構造について説明する。
【００４９】
取手１７０には、延設先端面７２Ａに、ネジ２６の軸部２６Ｂが螺合するネジ孔７３を有する突出部１７５が形成されている。突出部１７５は、例えば、円柱状、角柱状、リブ状をなし、その中心軸に沿ってネジ孔７３が穿設されている。なお、図７〜図９においては、突出部１７５が円柱状のものを例示する。突出部１７５は、その側面が突出先端側に向かうにつれて先細るテーパ状をなしている。突出部１７５は、その突出寸法が、外側壁部１５２と内側壁部１５５との間の寸法と同等とされており、その突出先端面１７５Ａが内側壁部１５５の庫外側の面５５Ａに当接可能とされている。
【００５０】
外側壁部１５２には、突出部１７５を挿通する突出部挿通孔１５３が貫通形成されている。突出部挿通孔１５３は、延設先端面７２Ａが外側壁部１５２の表面５２Ａに当接した状態で、突出部１７５が隙間なく嵌り込んで、突出部１７５と外側壁部１５２が接合可能な構成とされている。
【００５１】
内側壁部１５５には、突出部挿通孔１５３、及び、突出部挿通孔１５３に挿通された突出部１７５のネジ孔７３と対応する位置に、ネジ２６の軸部２６Ｂを挿通する軸部挿通孔１５６が貫通形成されている。
【００５２】
本関連技術によれば、突出部１７５が外側壁部１５２の突出部挿通孔１５３に隙間なく嵌まり込むことで、取手１７０のがたつきを抑制することができる。特に、突出部１７５がテーパ状をなすから、好適に、突出部１７５と外側壁部１５２とを接合することができる。
【００５３】
また、本関連技術によれば、取手１７０と枠体３０との接合面を、突出部１７５の突出先端面１７５Ａと内側壁部１５５の庫外側の面５５Ａ、及び、固定部７２の延設先端面７２Ａと外側壁部１５２の表面５２Ａの２箇所とすることができ、例えば、接合面が１箇所のみとされる場合に比べて、取手１７０を枠体３０に対してより強固に固定することができる。
【００５４】
＜他の実施形態＞
本発明は上記記述及び図面によって説明した実施形態に限定されるものではなく、例えば次のような実施形態も本発明の技術的範囲に含まれる。
（１）上記実施形態では、冷蔵用のショーケース１０に用いられるショーケース用扉２０Ａを例示したが、これに限定されない。ショーケース用扉２０Ａは、例えば、冷凍用や保温用のショーケース等に適用することができる。
【００５５】
（２）ショーケース用扉の形状や大きさ、各部の構成は上記実施形態で例示したものに限定されず適宜変更可能である。例えば、ショーケース用扉として横長な形状や正方形状をなしていてもよい。また、ショーケース１０が備えるショーケース用扉の枚数も上記実施形態で例示した枚数に限定されず、適宜変更可能である。
【符号の説明】
【００５６】
２０Ａ…ショーケース用扉、２１…板状ガラス、２１Ａ…端面、２６…ネジ（締結部材）、２６Ａ…頭部、２６Ｂ…軸部、３０…枠体、５１…ガラス保持壁部、５２…外側壁部、５２Ｂ…面、５３…挿通孔、５４…対向壁部、５５…内側壁部、５５Ｂ…面、５６…締結孔、６０…介在部材、６１…当接部、６１Ａ，６１Ｂ…両端部、６２…連通孔、６３…立ち上がり部、６４…係合部、７０…取手
【図１】
0006593965.tif 000002
【図２】
0006593965.tif 000003
【図３】
0006593965.tif 000004
【図４】
0006593965.tif 000005
【図５】
0006593965.tif 000006
【図６】
0006593965.tif 000007
【図７】
0006593965.tif 000008
【図８】
0006593965.tif 000009
【図９】
0006593965.tif 000010